(57)【要約】【課題】ネットワーク内の情報記憶装置のファイル管理情報を常に得ることができ、信頼性、低消費電力を実現し得る情報処理装置を提供する。【解決手段】情報処理装置には、パソコン２、ビデオレコーダ５、ホームサーバ３等の複数の情報記憶装置が接続されている。情報処理装置は、各情報記憶装置に記憶されたファイルを相互に利用する。複数台の情報記憶装置のうち少なくとも１台のホームサーバ３には、全ての情報記憶装置のファイル管理情報を記憶するフラッシュメモリ２０が設けられている。【選択図】　図１
2004038675.tif 000002
【特許請求の範囲】
【請求項１】
複数台の情報記憶装置が接続され、各情報記憶装置に記憶されたファイルを相互に利用する情報処理装置において、
上記複数台の情報記憶装置のうち少なくとも１台の情報記憶装置には、全ての情報記憶装置のファイル管理情報を記憶するメモリ手段が設けられていることを特徴とする情報処理装置。
【請求項２】
前記メモリ手段は、固体メモリからなっていることを特徴とする請求項１記載の情報処理装置。
【請求項３】
前記メモリ手段は、不揮発性メモリからなっていることを特徴とする請求項１記載の情報処理装置。
【請求項４】
前記複数台の情報記憶装置のうち少なくとも１台の情報記憶装置には、
各情報記憶装置にて作成された各種の情報を転送入力してファイルとして保存するファイル記憶手段と、
上記ファイル記憶手段への入出力が所定時間以上ないときには、上記ファイル記憶手段の動作を省エネルギーモードにする動作制御手段とが設けられていることを特徴とする請求項１、２又は３記載の情報処理装置。
【請求項５】
前記動作制御手段は、ファイル記憶手段の動作を省エネルギーモードにした後、上記ファイル記憶手段へのファイルの入出力が発生したときには、上記ファイル記憶手段の動作を通常モードに復帰させることを特徴とする請求項４記載の情報処理装置。
【請求項６】
複数台の情報記憶装置が接続され、各情報記憶装置に記憶されたファイルを相互に利用する情報処理装置の情報処理方法において、
上記複数台の情報記憶装置に含まれる第１の情報記憶装置のファイル管理情報が更新されたときに、上記記第１の情報記憶装置が、上記複数台の情報記憶装置のうちの、ファイル管理情報を記憶するメモリ手段を備えた第２の情報記憶装置に対して、ファイル管理情報が更新された旨を通知する第１のステップと、
更新通知を受けた上記第２の情報記憶装置が、上記メモリ手段に記憶されたファイル管理情報を更新する第２のステップとを含むことを特徴とする情報処理装置の情報処理方法。
【請求項７】
前記第２のステップにおいて、第２の情報記憶装置は、第１の情報記憶装置のファイル管理情報のうち更新箇所のみを更新することを特徴とする請求項６記載の情報処理装置の情報処理方法。
【請求項８】
前記第２のステップにおいて、第２の情報記憶装置は、所定の更新回数毎に、第１の情報記憶装置の更新箇所を含む全てのファイル管理情報を更新することを特徴とする請求項７記載の情報処理装置の情報処理方法。
【発明の詳細な説明】
【０００１】
【発明の属する技術分野】
本発明は、複数台のビデオレコーダ、パーソナルコンピュータ、又はサーバ等の情報記憶装置がネットワークで接続された情報処理装置及びその情報処理方法に関するものであり、特に、複数台の情報記憶装置が相互に他の情報記憶装置のファイルを利用するものに関する。
【０００２】
【従来の技術】
近年、画像情報や音声情報をはじめとする各種の情報がデジタル化され、それら情報をランダムアクセス性に優れたディスク媒体に記録する情報記憶装置が商品化されている。
【０００３】
また、情報のデジタル化に合わせて、デジタル情報をネットワーク内で相互に利用する情報処理装置が開発されており、一例として、例えば、特開２０００−３４９８３３号公報（公開日：平成１２年１２月１５日）に開示された情報処理装置がある。
【０００４】
以下に、従来の情報処理装置について、図１０ないし図１５に基づいて説明する。
【０００５】
図１０に示すように、バス１０４にはパーソナルコンピュータ（以下、「パソコン」という）１０２、ビデオレコーダ１０５及びサーバ１０２等の複数の情報記憶装置等が接続されている。
【０００６】
各情報記憶装置等の機能について説明する。
【０００７】
まず、ビデオレコーダ１０５は、テレビ１０６の放送等の動画情報を圧縮処理して、内蔵されたハードディスク装置等の記憶装置に記憶する情報記憶装置である。
【０００８】
上記ビデオレコーダ１０５には、図１１に示すように、内部バス１１０に各ブロックが接続されている。同図におけるビデオコントローラ１１２は各ブロックからの情報を収集し制御を行う。ＬＡＮインタフェース１１１は、上記バス１０４と接続するためのものであり、バス１０４に適合した信号及びプロトコルへの変換を行う。チューナ１０７は、上記テレビ１０６の放送を受信するためのものである。
【０００９】
ＥＮＣ／ＤＥＣ１０８は、動画情報を所定の圧縮方式で圧縮又は伸張するものである。記録時にはＥＮＣ／ＤＥＣ１０８への入力信号がチューナ１０７や図示しない外部入力端子からアナログ又はデジタル信号として与えられる。ＥＮＣ／ＤＥＣ１０８にて圧縮処理されたデータは、ビデオハードディスク装置１０９に転送されファイルとして保存される。また、再生時には、圧縮データファイルがビデオハードディスク装置１０９から読み出され、ＥＮＣ／ＤＥＣ１０８に転送されて伸張処理が行われる。伸張された動画情報はビデオインタフェース１１３に送られ、接続されるテレビ１０６に適合した信号形式に変換される。
【００１０】
ユーザインタフェース１１４は、リモコン、操作ボタン等のユーザの操作をビデオコントローラ１１２に伝達したり、ビデオコントローラ１１２からの情報を表示したりするためのものである。
【００１１】
次に、図１０に示すように、サーバ１２７は、前記ビデオレコーダ１０５にて作成した動画情報やパソコン１０２にて作成した各種の情報等をファイルとして保存するための情報記憶装置である。
【００１２】
上記サーバ１２７では、図１２に示すように、内部バス１１９に各ブロックが接続されている。サーバコントローラ１１７は、各ブロックからの情報を収集し制御を行う。ＬＡＮインタフェース１１６は、上記バス１０４と接続するためのものであり、バス１０４に適合した信号及びプロトコルへの変換を行う。サーバハードディスク装置１１５は、各種の情報を保存するための記憶装置である。
【００１３】
ユーザインタフェース１１８は、リモコン、操作ボタン等のユーザの操作をサーバコントローラ１１７に伝達したり、サーバコントローラ１１７からの情報を表示したりするためのものである。
【００１４】
一方、図１０に示すように、パソコン１０２は、実行するソフトウェアに応じて各種の情報処理ができる情報記憶装置である。代表的な処理内容としては、ホームページ閲覧、電子メール、文書作成、印刷、表計算、画像処理、動画再生、音声再生等の処理がある。また、拡張ボードにより機能を追加、変更することができる。例えば、チューナ／ビデオキャプチャボードを追加することにより、テレビ放送を見たり、動画情報を圧縮処理したりすることができるようになる。この場合、ビデオレコーダ１０５とほぼ同様な機能を実現できる。
【００１５】
なお、パソコン１０２には、図示しないハードディスク装置や光ディスク装置等の記憶装置が内蔵又は外部接続されている。
【００１６】
ディスプレイ１０１は、動画情報等を表示する装置である。このディスプレイ１０１では、図１３に示すように、内部バス１２５に各ブロックが接続されている。ディスプレイコントローラ１２３は各ブロックからの情報を収集し制御を行う。ＬＡＮインタフェース１２２は、前記バス１０４と接続するためのものであり、バス１０４に適合した信号及びプロトコルへの変換を行う。
【００１７】
デコーダ１２０は、圧縮データファイルを伸張するものである。再生時には、バス１０４を通じて圧縮データファイルが読み出され、このデコーダ１２０に転送されて伸張処理が行われる。
【００１８】
伸張された動画情報は、ディスプレイ画面１２１に表示される。ユーザインタフェース１２４は、リモコン、操作ボタン等のユーザの操作をディスプレイコントローラ１２３に伝達したり、ディスプレイコントローラ１２３からの情報を表示したりするためのものである。圧縮データファイルを読み出す対象としては、記憶装置を備えた情報記憶装置であればどれでもよく、パソコン１０２、ビデオレコーダ１０５、サーバ１２７のいずれからでも読み出すことができる。また、ディスプレイ１０１では、動画情報だけでなく、静止画やホームページ閲覧等も可能である。これらの表示処理はディスプレイコントローラ１２３のソフトウェアにより実現される。
【００１９】
以上説明したように、記憶装置を備えた情報記憶装置がネットワーク内に複数台接続されている場合、記憶装置を共有することができる。ファイル共有のためのファイルシステムとしては、ＮＦＳ（Ｎｅｔｗｏｒｋ　Ｆｉｌｅ　Ｓｙｓｔｅｍ）等がある。
【００２０】
このように記憶装置を共有する場合、例えば、ビデオレコーダ１０５のビデオハードディスク装置１０９の空き容量が不足した場合、空き容量を増やすため、ビデオハードディスク装置１０９のファイルをサーバ１２７のサーバハードディスク装置１１５に移動させることが行われる。そして、ビデオハードディスク装置１０９に必要な空き容量を確保した後、テレビ１０６の放送等を録画する。この場合のファイルの移動はビデオレコーダ１０５のビデオコントローラ１１２のプログラムにより自動的に処理される。
【００２１】
このとき、ファイルの移動先に関する情報をビデオレコーダ１０５のファイル管理情報領域に記録する。ファイル管理情報領域は、ビデオハードディスク装置１０９等、電源を切っても情報を保持できる記憶装置に配置されている。ファイル管理情報を読み取ることにより、ファイルの移動先を知ることができる。
【００２２】
ファイル移動前後のファイル管理情報を、図１４及び図１５に示す。図１４（ａ）はファイル移動前のビデオレコーダ１０５のファイル管理情報であり、図１４（ｂ）はサーバ１２７のファイル管理情報である。
【００２３】
図１４（ａ）に示すように、ビデオレコーダ１０５のファイル管理情報により、ファイル移動前においては、ビデオレコーダ１０５にはビデオ番組Ｔｉｔｌｅ１、Ｔｉｔｌｅ２等が記録されており、そのファイル名はそれぞれＶｉｄｅｏＦｉｌｅ１、ＶｉｄｅｏＦｉｌｅ２であることがわかる。また、ファイル管理情報における装置名の欄にはファイルが記録されている情報記憶装置の名称が書かれている。なお、同図（ａ）のＲｅｃｏｒｄｅｒはビデオレコーダ１０５を指している。
【００２４】
一方、図１４（ｂ）に示すように、サーバ１２７のファイル管理情報によって、サーバ１２７にはビデオ番組ＴｉｔｌｅＡ、ＴｉｔｌｅＢが記録されており、そのファイル名はＶｉｄｅｏＦｉｌｅＡ、ＶｉｄｅｏＦｉｌｅＢであることがわかる。なお、同図（ｂ）のＳｅｒｖｅｒはサーバ１２７を指している。
【００２５】
ここで、ビデオレコーダ１０５のビデオハードディスク装置１０９の空き容量を増やすため、ビデオ番組Ｔｉｔｌｅ２をサーバ１２７に移動したとすると、移動後のビデオレコーダ１０５のファイル管理情報は、図１５（ａ）のように変更される。すなわち、ビデオ番組Ｔｉｔｌｅ２を記録している装置名がＳｅｒｖｅｒに変更され、ファイル名もＶｉｄｅｏＦｉｌｅＣに変更される。一方、サーバ１２７のファイル管理情報には、図１５（ｂ）に示すように、ビデオ番組Ｔｉｔｌｅ２に関する情報が追加される。
【００２６】
以上説明したように、ファイル移動時に、移動元のファイル管理情報に移動先の情報が記録されるので、この情報を基にファイルの移動先を知ることができる。
【００２７】
また、このように空き領域を自動的に確保する場合以外にも、パソコン１０２、ビデオレコーダ１０５、及びサーバ１２７で相互に情報を利用するため、手動によるファイルの移動、コピー等が行われる。この場合、ファイルの移動先やコピー先の情報は、移動元の情報記憶装置には記録されない。
【００２８】
【発明が解決しようとする課題】
このように、ネットワーク内で相互にファイルの共有をする場合、他の情報記憶装置も含めたファイル管理情報が必要になる。
【００２９】
しかしながら、従来の情報処理装置及び情報処理方法では、ファイル管理情報を情報記憶装置毎に持っているため、通常はネットワーク経由でファイル管理情報にアクセスできても、電源が切れた情報記憶装置についてのファイル管理情報を得ることはできないという問題点を有している。また、前述したように、情報記憶装置にて自動的にファイルの移動が行われた場合、当初記録が行われた情報記憶装置と異なる情報記憶装置にファイルが移動してしまう。このため、どの情報記憶装置にファイルがあるのか、当初記録を行ったユーザにもわからなくなってしまう。したがって、このような場合、一旦、全ての情報記憶装置の電源を投入して、どの装置にファイルが移動したかを検索する必要がある。
【００３０】
本発明は、上記従来の問題点に鑑みなされたものであって、その目的は、ネットワーク内の情報記憶装置のファイル管理情報を常に得ることができ、信頼性、を実現し得る情報処理装置及びその情報処理方法を提供することにある。
【００３１】
【課題を解決するための手段】
本発明の情報処理装置は、上記課題を解決するために、複数台の情報記憶装置が接続され、各情報記憶装置に記憶されたファイルを相互に利用する情報処理装置において、上記複数台の情報記憶装置のうち少なくとも１台の情報記憶装置には、全ての情報記憶装置のファイル管理情報を記憶するメモリ手段が設けられていることを特徴としている。
【００３２】
上記の発明によれば、情報記憶装置のうち、少なくとも１台がメモリ手段を備えており、複数台の情報記憶装置の全てのファイル管理情報を、メモリ手段に記憶する。
【００３３】
したがって、各情報記憶装置の電源の入切状態に関係なく、いずれの情報記憶装置からもネットワーク内の情報記憶装置のファイルを検索することが可能である。
【００３４】
この結果、ネットワーク内の情報記憶装置のファイル管理情報を常に得ることができ、信頼性を実現し得る情報処理装置を提供することができる。
【００３５】
また、本発明の情報処理装置は、上記記載の情報処理装置において、前記メモリ手段は、固体メモリからなっていることを特徴としている。
【００３６】
上記の発明によれば、メモリ手段は、固体メモリからなっているので、ハードディスク装置のように機械的な可動部を有する記憶装置に比べて、耐久性、信頼性が向上できる。また、小型であり、消費電力も低減できる。
【００３７】
また、本発明の情報処理装置は、上記記載の情報処理装置において、前記メモリ手段は、不揮発性メモリからなっていることを特徴としている。
【００３８】
上記の発明によれば、メモリ手段は、不揮発性メモリからなっているので、停電等による電源遮断時にも、ファイル管理情報を失うおそれがない。
【００３９】
また、本発明の情報処理装置は、上記記載の情報処理装置において、前記複数台の情報記憶装置のうち少なくとも１台の情報記憶装置には、各情報記憶装置にて作成された各種の情報を転送入力してファイルとして保存するファイル記憶手段と、上記ファイル記憶手段への入出力が所定時間以上ないときには、上記ファイル記憶手段の動作を省エネルギーモードにする動作制御手段とが設けられていることを特徴としている。
【００４０】
上記の発明によれば、複数台の情報記憶装置のうち少なくとも１台の情報記憶装置には、各情報記憶装置にて作成された各種の情報を転送入力してファイルとして保存するファイル記憶手段が設けられている。
【００４１】
したがって、ある情報記憶装置の記憶容量が少ない場合等には、その記憶容量が少ない情報記憶装置にて記憶した情報を当該複数台の情報記憶装置のうち少なくとも１台の情報記憶装置に転送し、当該少なくとも１台の情報記憶装置のファイル記憶手段にファイルを保存することができる。したがって、個々の情報記憶装置については、大容量の記憶装置を備える必要がない。
【００４２】
また、本発明では、動作制御手段は、ファイル記憶手段への入出力が所定時間以上ないときには、上記ファイル記憶手段の動作を省エネルギーモードにする。
【００４３】
したがって、ファイル記憶手段への入出力が所定時間以上ないときに、ファイル記憶手段の動作を省エネルギーモードにすることにより、さらに、消費電力を低減することができる。
【００４４】
また、本発明の情報処理装置は、上記記載の情報処理装置において、前記動作制御手段は、ファイル記憶手段の動作を省エネルギーモードにした後、上記ファイル記憶手段へのファイルの入出力が発生したときには、上記ファイル記憶手段の動作を通常モードに復帰させることを特徴としている。
【００４５】
上記の発明によれば、動作制御手段は、ファイル記憶手段の動作を省エネルギーモードにした後、ファイル記憶手段へのファイルの入出力が発生したときには、上記ファイル記憶手段の動作を通常モードに復帰させる。
【００４６】
したがって、ファイル記憶手段へのファイルの入出力が発生したときには、通常通りの動作を行うので、ファイルの入出力を支障なく行うことができる。
【００４７】
また、本発明の情報処理装置の情報処理方法は、上記課題を解決するために、複数台の情報記憶装置が接続され、各情報記憶装置に記憶されたファイルを相互に利用する情報処理装置の情報処理方法において、上記複数台の情報記憶装置に含まれる第１の情報記憶装置のファイル管理情報が更新されたときに、上記記第１の情報記憶装置が、上記複数台の情報記憶装置のうちの、ファイル管理情報を記憶するメモリ手段を備えた第２の情報記憶装置に対して、ファイル管理情報が更新された旨を通知する第１のステップと、更新通知を受けた上記第２の情報記憶装置が、上記メモリ手段に記憶されたファイル管理情報を更新する第２のステップとを含むことを特徴としている。
【００４８】
上記の発明によれば、第１の情報記憶装置のファイル管理情報が更新されたときには、上記記第１の情報記憶装置は、上記複数台の情報記憶装置のうちの、ファイル管理情報を記憶するメモリ手段を備えた第２の情報記憶装置に対して、ファイル管理情報が更新された旨を通知する。
【００４９】
そして、更新通知を受けた第２の情報記憶装置は、自己のメモリ手段に記憶されたファイル管理情報を更新する。
【００５０】
これによって、各情報記憶装置の電源の入切状態に関係なく、いずれの情報記憶装置からもネットワーク内の情報記憶装置における更新されたファイルを検索することが可能である。
【００５１】
この結果、ネットワーク内の情報記憶装置における最新のファイル管理情報を常に得ることができる情報処理装置の情報処理方法を提供することができる。
【００５２】
また、本発明の情報処理装置の情報処理方法は、上記記載の情報処理装置の情報処理方法において、前記第２のステップにおいて、第２の情報記憶装置は、第１の情報記憶装置のファイル管理情報のうち更新箇所のみを更新することを特徴としている。
【００５３】
上記の発明によれば、第２の情報記憶装置は、第１の情報記憶装置のファイル管理情報のうち更新箇所のみを更新する。
【００５４】
したがって、更新するファイル管理情報の容量を減らすことができるので、更新に要する時間を短縮することができる。
【００５５】
また、本発明の情報処理装置の情報処理方法は、上記記載の情報処理装置の情報処理方法において、前記第２のステップにおいて、第２の情報記憶装置は、所定の更新回数毎に、第１の情報記憶装置の更新箇所を含む全てのファイル管理情報を更新することを特徴としている。
【００５６】
すなわち、更新箇所のみを更新している場合において、何らかの影響で送信ミスがあった場合には、誤った情報が第２の情報記憶装置にいつまでもの残ることになる。
【００５７】
この点、本発明によれば、第２の情報記憶装置は、所定の更新回数毎に、第１の情報記憶装置の更新箇所を含む全てのファイル管理情報を更新する。
【００５８】
したがって、更新箇所のみを更新している場合において、何らかの影響で送信ミスがあっても、次回更新が行われるときに、共有ファイル全てについてのファイル管理情報が再度送られるので、その時点で情報が正常化される。この結果、情報の信頼性を確保することができる。
【００５９】
【発明の実施の形態】
本発明の実施の一形態について図１ないし図９に基づいて説明すれば、以下の通りである。
【００６０】
本実施の形態の情報処理装置では、図１に示すように、バス４にはパーソナルコンピュータ（以下、「パソコン」という）２、ホームサーバ３、及びビデオレコーダ５等の複数の情報記憶装置並びにディスプレイ１が接続されている。バス４としては、イーサネット（Ｅｔｈｅｒｎｅｔ）〔いずれも登録商標〕等の有線方式とＩＥＥＥ８０２．１１ｂ等の無線方式とがあるが、転送ビットレートや各情報記憶装置の設置場所等の条件を考慮して適宜選択すれば良い。また、有線と無線を組み合わせることもできる。
【００６１】
各情報記憶装置の機能について説明する。
【００６２】
まず、ビデオレコーダ５は、テレビ６の放送等の動画情報を圧縮処理して、内蔵されたハードディスク装置等の記憶装置に記憶する情報記憶装置である。
【００６３】
上記ビデオレコーダ５には、図２に示すように、内部バス１０に各ブロックが接続されている。ビデオコントローラ１２は、各ブロックからの情報を収集し制御を行う。ＬＡＮインタフェース１１は、前記バス４と接続するためのものであり、バス４に適合した信号及びプロトコルへの変換を行う。チューナ７は、前記テレビ６からの放送を受信するためのものである。
【００６４】
ＥＮＣ／ＤＥＣ８は、動画情報を所定の圧縮方式で圧縮したり伸張したりするものである。記録時には、ＥＮＣ／ＤＥＣ８への入力信号が、チューナ７や図示しない外部入力端子からアナログ信号又はデジタル信号として与えられる。ＥＮＣ／ＤＥＣ８にて圧縮処理されたデータは、ビデオハードディスク装置９に転送されファイルとして保存される。なお、ここでは記憶装置としてハードディスク装置を使う場合を示しているが、必ずしもこれに限らず、光ディスク装置等の記憶装置を使用することもできる。
【００６５】
一方、再生時には、圧縮データファイルがビデオハードディスク装置９から読み出され、ＥＮＣ／ＤＥＣ８に転送されて伸張処理が行われる。伸張された動画情報は、ビデオインタフェース１３に送られ、接続される前記テレビ６に適合した信号形式に変換される。なお、ＥＮＣ／ＤＥＣ８では、動画情報だけでなく静止画情報の圧縮伸張ができるようにしても良い。
【００６６】
ユーザインタフェース１４は、リモコン、操作ボタン等のユーザの操作をビデオコントローラ１２に伝達したり、ビデオコントローラ１２からの情報を表示したりするためのものである。
【００６７】
次に、図１に示すように、ホームサーバ３は、ビデオレコーダ５で作成した動画情報やパソコン２で作成した各種の情報等をファイルとして保存するファイルサーバとしての機能と、ネットワーク内の各情報記憶装置のファイル管理情報を保存する管理情報サーバとしての機能を有する情報記憶装置である。
【００６８】
上記ホームサーバ３には、図３に示すように、内部バス１９に各ブロックが接続されている。動作制御手段としてのサーバコントローラ１７は、各ブロックからの情報を収集し制御を行う。ＬＡＮインタフェース１６は、上記バス４と接続するためのものであり、バス４に適合した信号及びプロトコルへの変換を行う。
【００６９】
ファイル記憶手段としてのサーバハードディスク装置１５は、各種の情報を保存するための記憶装置である。なお、ここでは、記憶装置としてハードディスク装置を使う場合を示しているが、必ずしもこれに限らず、光ディスク装置等の記憶装置を使用することもできる。
【００７０】
ユーザインタフェース１８は、リモコン、及び操作ボタン等のユーザの操作をサーバコントローラ１７に伝達したり、サーバコントローラ１７からの情報を表示したりするためのものである。ユーザインタフェース１８については、ホームサーバ３に対する各種の操作をネットワーク経由で行うようにすることも可能であり、この場合、操作のためのハードウェアを省略することができる。
【００７１】
フラッシュメモリ２０は、ネットワーク内の各情報記憶装置のファイル管理情報を保存するためのものである。本実施の形態では、ファイル管理情報の記憶をフラッシュメモリ２０のような固体メモリとしているため、ハードディスク装置のように機械的な可動部を有する記憶装置に比べて、耐久性、信頼性が向上できる。また、消費電力も低減できる。さらに、不揮発性メモリを使用しているため、停電等により電源の供給が停止しても、ファイル管理情報が失われることがない。不揮発性の固体メモリとしては、フラッシュメモリ２０以外にもＭＲＡＭやＦｅＲＡＭ等のメモリがあり、動作速度、コスト等を考慮して選択すれば良い。
【００７２】
一方、図１に示すように、パソコン２は、実行するソフトウェアに応じて各種の情報処理ができる情報記憶装置である。代表的な処理内容としては、ホームページ閲覧、電子メール、文書作成、印刷、表計算、画像処理、動画再生、及び音声再生等がある。また、拡張ボードにより機能を追加、変更することができる。例えば、チューナ／ビデオキャプチャボードを追加することにより、テレビ放送を見たり、動画情報を圧縮処理したりすることができるようになる。この場合、ビデオレコーダ７とほぼ同様な機能を実現できる。
【００７３】
なお、パソコン２には、図示しないハードディスク装置や光ディスク装置等の記憶装置が内蔵、又は外部接続されている。
【００７４】
ディスプレイ１は、動画情報等を表示する装置である。このディスプレイ１には、図４に示すように、内部バス２５に各ブロックが接続されている。ディスプレイコントローラ２３は、各ブロックからの情報を収集し制御を行う。ＬＡＮインタフェース２２は、上記バス４と接続するためのものであり、バス４に適合した信号及びプロトコルへの変換を行う。
【００７５】
デコーダ２６は、圧縮データファイルを伸張するものである。再生時には、上記バス４を通じて圧縮データファイルが読み出され、デコーダ２６に転送されて伸張処理が行われる。デコーダ２６はハードウェアではなく、ソフトウェアで実現することもできる。伸張された動画情報は、ディスプレイ画面２１に表示される。
【００７６】
ユーザインタフェース２４は、リモコン、及び操作ボタン等のユーザの操作をディスプレイコントローラ２３に伝達したり、ディスプレイコントローラ２３からの情報を表示したりするためのものである。圧縮データファイルを読み出す対象としては、記憶装置を備えた情報記憶装置であればどれでもよく、パソコン２、ビデオレコーダ５及びホームサーバ３のいずれからでも読み出すことができる。また、ディスプレイ１では、動画情報だけでなく、静止画やホームページ閲覧等も可能である。これらの表示処理はディスプレイコントローラ２３のソフトウェアにより実現される。
【００７７】
以上説明したように、記憶装置を備えた情報記憶装置がネットワーク内に複数台接続されている場合、記憶装置を共有することができる。ファイル共有のためのファイルシステムとしては、例えばＮＦＳ（Ｎｅｔｗｏｒｋ　Ｆｉｌｅ　Ｓｙｓｔｅｍ）等がある。
【００７８】
上記のネットワーク内で記憶装置を共有する場合の本実施の形態におけるファイル管理情報について説明する。
【００７９】
本実施の形態の情報処理装置では、ネットワーク内における全ての情報記憶装置のファイル管理情報をホームサーバ３が所有する。ただし、各情報記憶装置の記憶装置に記憶されている全てのファイルに対するファイル管理情報を、ネットワーク内で共有する必要はなく、一部を共有すればよい場合が殆どである。例えば、パソコン２を動作させるためのＯＳ（Ｏｐｅｒａｔｉｎｇ　Ｓｙｓｔｅｍ）に関するファイルは、ビデオレコーダ５では不要なので共有する必要がない。同様に、ビデオレコーダ５でしか再生できないファイルはパソコン２で共有する必要はない。したがって、本実施の形態では、いずれの情報記憶装置でも使用可能な情報のみを共有にすることとしている。このように、共有するファイルを一部に限定することにより、ファイル管理情報の容量を低減できる。
【００８０】
ここで、共有するファイルを限定するには、フォルダやディレクトリ等のファイルが記憶される論理的な位置で限定する方法と、ファイルの内容等の属性により限定する方法とがある。前者の場合、特定のフォルダに記録されたファイルを全て共有するため、一つ一つのファイル内容等を調べる必要がないという利点がある。後者の場合、一つのフォルダ内で共有ファイルと非共有ファイルが混在できるので、フォルダに収容するファイル選択の自由度が高いという利点がある。
【００８１】
また、図１に示した例では、ファイル管理情報を共有する必要がある情報記憶装置のみがネットワークに接続されている場合を示している。そのため、全ての情報記憶装置のファイル管理情報をホームサーバ３が所有するようにしている。しかし、例えば、ファイル管理情報を共有する必要がない情報記憶装置がネットワークに接続されている場合も考えられる。このような場合は、ファイル管理情報を共有する必要がない装置を除いた他の複数の情報記憶装置にてファイル管理情報を共有するようにすれば良い。
【００８２】
ファイル管理情報は、各情報記憶装置のハードディスク装置等の記憶装置に記憶されている。また、光ディスク等の交換可能な記憶媒体を使用する情報記憶装置においては、現在、情報記憶装置内に格納されていない記憶媒体についてのファイル管理情報を記憶するための、記憶手段を備えていることが望ましい。このような装置構成としておけば、情報記憶装置内に格納されていない記憶媒体に記憶されたファイルについても、検索等を行うことが可能となる。
【００８３】
共有するファイル管理情報の項目は、例えば、図５に示すように、ファイル種類、タイトル、ファイル名、内容、装置名、パス、サイズ、日時等である。同図においては、ファイル検索時に便利なように多くの項目を含んでいるが、最低限必要となるのは、ファイル種類、ファイル名、装置名であり、それ以外の項目は、必要に応じて省略することができる。以下、項目毎に内容を説明する。
【００８４】
まず、ファイル種類の項目には、例えば、ファイル種類毎に予め決められたコードを格納する。そのコードは、図６に示すように、例えば、ビデオファイルについてＶ＿ＨＤ、Ｖ＿ＳＤ、オーディオファイルについてＡ＿ＨＱ、Ａ＿ＳＱ、静止画ファイルについてＳ＿ＪＰ、Ｓ＿ＢＭ、テキストファイルについてＴ＿ＴＸ、Ｔ＿ＲＴである。なお、ここでは、ビデオファイル、オーディオファイル、静止画ファイル及びテキストファイルについての例を示しているが、必ずしもこれに限らず、パソコン２等では、アプリケーションソフトによって様々なファイル種類を扱うことができる。このため、必要に応じてそれらについてもコードを付与しておく。
【００８５】
ファイル毎にファイル種類を付与する方法としては、ユーザが逐次入力する方法と、情報記憶装置がファイル種類を自動的に付与する方法とがある。ファイル種類を自動的に付与する方法としては、いくつか考えられる。一つは、例えばパソコン２では、ファイル名としてファイル種類に関連付けられた拡張子が含まれているので、それを基にしてファイル種類を付与する方法がある。他の方法としては、ファイルのデータフォーマットを分析しファイル種類を付与する方法がある。また、ビデオレコーダ５では、録画等、ユーザの操作により記録するファイル種類が決まっているので、リモコン等の操作に応じてファイル種類を付与しても良い。
【００８６】
タイトルとしては、内容を示すような任意の名前を格納する。例えば、録画したテレビ放送の場合、番組名等をタイトルとすることができる。
【００８７】
ファイル名としては、ファイル毎に任意につけられた名前を格納する。内容としては、検索時に便利なようにキーワードとなるような言葉を格納する。例えば、ドラマ、歌番組等といった任意の言葉を格納する。
【００８８】
装置名としては、ファイルが記録されている情報記憶装置の名称を格納する。
【００８９】
パスとしては、ファイルが記録されている記憶装置のディレクトリのパスを格納する。これら装置名とパスとを用いて、ファイルにアクセスが可能となる。サイズとしては、ファイルのサイズを格納する。
【００９０】
日時としては、ファイル作成日時を格納する。ファイル管理情報として日時を格納しておくことにより、日時を使ったファイル検索が可能となる。例えば、２０００年１０月以降のファイルを探すといったことができる。
【００９１】
次に、前述のファイル管理情報の更新動作について説明する。
【００９２】
まず、図７に示すファイル管理情報がホームサーバ３に記録されているものとする。この例では、２つのビデオファイル、２つのオーディオファイル、及び１つのテキストファイルの合計５つのファイルについてのファイル管理情報が記録されている。また、他の情報記憶装置のファイル管理情報を読み出すことができるように、ネットワーク内の各装置において、ファイル共有のために必要なファイルシステムの設定が予めなされている。
【００９３】
ここで、ビデオレコーダ５により新たにテレビ番組が録画される場合を考える。
【００９４】
録画終了時におけるビデオレコーダ５のファイル管理情報には、図８に示すように、Ｍｕｓｉｃ２というタイトルのビデオファイルが１つ追加されている。このように新たにファイルが追加されたり、又は削除されたりしたときに、ファイル管理情報の更新日時を変更する。
【００９５】
すなわち、本実施の形態では、ホームサーバ３は、ネットワーク内で共用すべきファイルのファイル管理情報だけを記憶することとしているが、Ｍｕｓｉｃ２というビデオファイルはこの対象である。したがって、録画終了時におけるビデオレコーダ５のファイル管理情報の更新が終了した後、所定の手順でネットワーク内のホームサーバ３のファイル管理情報を更新する。
【００９６】
上記ホームサーバ３のファイル管理情報を更新する場合のビデオレコーダ５とホームサーバ３との間の応答を図９に基づいて説明する。
【００９７】
まず、ビデオレコーダ５のファイル管理情報が書き換えられた時点で、ビデオレコーダ５は、ホームサーバ３の稼動状況を調べるためにホームサーバ３に対して問い合わせを行う。今の場合、ホームサーバ３は稼動中であるので、稼動中である旨をビデオレコーダ５に通知する。すなわち、ホームサーバ３が稼動中とは、ホームサーバ３が動作していることつまりホームサーバ３の電源がＯＮ状態にあることを示す。
【００９８】
次に、ビデオレコーダ５は、ホームサーバ３に対して、ビデオレコーダ５のファイル管理情報が書き換えられたことを通知する。続いて、ホームサーバ３は、ビデオレコーダ５に対して、書き換え後のファイル管理情報を送信するよう要求する。送信要求を受けたビデオレコーダ５は、ファイル管理情報をホームサーバ３に送信する。
【００９９】
ここで、ファイル管理情報の送信方法としては、更新された部分についてのみの情報を送る方法と、共有ファイル全てについての情報を送る方法とがある。前者では、送信する情報が少ないので、送信時間を短くすることができるという利点がある。後者の場合、何らかの影響で、送信ミスがあっても、次回更新が行われるときに、共有ファイル全てについてのファイル管理情報が再度送られるので、その時点で情報が正常化される。また、２つの方法を複合しても良い。すなわち、通常は、更新部分についての情報のみを送信し、例えば１０回の更新毎に共有ファイル全てについてのファイル管理情報を送信するようにする。このようにすれば、送信時間と情報の信頼性を両立できる。
【０１００】
最後に、ホームサーバ３は、フラッシュメモリ２０に記憶されたファイル管理情報を更新する。該ホームサーバ３のファイル管理情報を更新する場合は、ファイル管理情報の更新日時は変更せず、ビデオレコーダ５で更新された日時をそのまま使用する。
【０１０１】
以上説明した手順により、ホームサーバ３のファイル管理情報を更新することができる。ここでは、ファイルが追加された例を挙げたが、削除された場合も同様である。また、ファイルの移動は、ファイル追加とファイル削除との組み合わせとして実現できる。
【０１０２】
次に、ホームサーバ３のファイル管理情報を用いたファイル検索動作について説明する。なお、ホームサーバ３に記憶されたファイル管理情報は、図７に示すものであるとする。また、検索操作は、ビデオレコーダ５において行うものとする。ただし、必ずしもこれに限らない。
【０１０３】
まず、ユーザは、ビデオレコーダ５のユーザインタフェース１４に使われているリモコン等により検索操作を行う。ここでは、Ｃｌａｓｓｉｃ１というタイトルの音楽ファイルを検索するものとする。ユーザがタイトルを知っている場合は、Ｃｌａｓｓｉｃ１というタイトルのファイルを検索するようリモコン等を用いて入力する。タイトルを知らない場合には、ファイル種類や内容、日時等をキーワードとして入力し検索作を行う。
【０１０４】
ビデオレコーダ５は、ホームサーバ３に対して検索動作を指示し、検索結果を受け取る。こうして、探しているファイルのファイル名がＡｕｄｉｏ２であり、ファイルが記録されている情報記憶装置が装置名ＰＣによりパソコン２であることがわかる。また、パソコン２内のディレクトリのパスもわかるので、ファイルにアクセスすることができる。これらの検索結果は、ビデオレコーダ５に接続されたテレビ６に表示される。また、このとき、パソコン２が稼動中であるかどうかの問い合わせを行ない、パソコン２の電源が切れている場合、それを表示させるようにすれば、ユーザは、パソコン２の電源を入れる必要があることがわかる。
【０１０５】
検索結果を見て、ユーザは、再生動作等の必要な操作をビデオレコーダ５に指示する。
【０１０６】
一方、ホームサーバ３は、ファイルサーバとしての機能と管理情報サーバとしての機能を有しているが、ファイルサーバとしての機能を長時間使用しない場合が考えられる。そこで、動作制御手段としてのサーバコントローラ１７は、ファイルの入出力状況を監視し、一定時間以上ファイルの入出力が行われない時には、管理情報サーバとして必要なブロック以外を停止させる。つまり、省エネルギーモードとなる。この状態をスリープモードと呼ぶ。管理情報サーバとして必要なブロックは、ＬＡＮインタフェース１６、フラッシュメモリ２０、及びサーバコントローラ１７である。したがって、サーバハードディスク装置１５及びユーザインタフェース１８は動作が停止する。
【０１０７】
また、ネットワーク内の他の情報記憶装置からホームサーバ３のファイル記憶手段としてのサーバハードディスク装置１５に対してファイル入出力要求があった場合、サーバコントローラ１７は、ファイル入出力ができるように、スリープモードで停止させていた全てのブロックを起動させる。したがって、通常モードとなる。
【０１０８】
このように、ファイルサーバとしての機能を長時間使用しない場合、管理情報サーバとして必要がないブロックを停止することにより、消費電力を低減することができる。
【０１０９】
本実施の形態では、管理情報サーバとしての機能をホームサーバ３に内蔵させたが、ネットワーク内の他の情報記憶装置に内蔵させるようにしても良い。また、管理情報サーバを独立した情報記憶装置として、ネットワーク内に設置することもできる。しかし、独立して設置せずに、他の情報記憶装置に内蔵させることにより、ＬＡＮインタフェース、コントローラ等を共用でき、コスト低減ができるという利点がある。
【０１１０】
以上、詳細に説明したように、ネットワーク内の情報記憶装置のファイル管理情報を集中的に管理するようにしたので、各情報記憶装置の電源の入切状態に関係なく、どの情報記憶装置からもネットワーク内の情報記憶装置のファイルを検索することが可能である。
【０１１１】
このように、本実施の形態の情報処理装置では、情報記憶装置のうち、少なくとも１台のホームサーバ３がフラッシュメモリ２０を備えており、複数台の情報記憶装置の全てのファイル管理情報を、このフラッシュメモリ２０に記憶する。
【０１１２】
したがって、各情報記憶装置の電源の入切状態に関係なく、いずれの情報記憶装置からもネットワーク内の情報記憶装置のファイルを検索することが可能である。
【０１１３】
この結果、ネットワーク内の情報記憶装置のファイル管理情報を常に得ることができ、信頼性を実現し得る情報処理装置を提供することができる。
【０１１４】
また、本実施の形態の情報処理装置では、フラッシュメモリ２０は、固体メモリからなっているので、ハードディスク装置のように機械的な可動部を有する記憶装置に比べて、耐久性、信頼性が向上できる。また、小型であり、消費電力も低減できる。
【０１１５】
また、本実施の形態の情報処理装置では、フラッシュメモリ２０は不揮発性メモリからなっているので、停電等による電源遮断時にも、ファイル管理情報を失うおそれがない。
【０１１６】
また、本実施の形態の情報処理装置では、複数台の情報記憶装置のうち少なくとも１台のホームサーバ３には、各情報記憶装置にて作成された各種の情報を転送入力してファイルとして保存するサーバハードディスク装置１５が設けられている。
【０１１７】
したがって、例えば、ビデオレコーダ５等のある情報記憶装置の記憶容量が少ない場合等には、その記憶容量が少ないビデオレコーダ５にて記憶した情報を当該複数台の情報記憶装置のうち少なくとも１台のホームサーバ３に転送し、当該少なくとも１台のホームサーバ３のサーバハードディスク装置１５にファイルを保存することができる。したがって、個々のビデオレコーダ５等の情報記憶装置については、大容量の記憶装置を備える必要がない。
【０１１８】
また、ファイル管理情報サーバとして機能するフラッシュメモリ２０を有するホームサーバ３にファイルサーバとして機能するサーバハードディスク装置１５が設けられているので、このサーバハードディスク装置１５とフラッシュメモリ２０とでＬＡＮインタフェース１６を共用することになる。したがって、コスト低減が可能である。
【０１１９】
また、本実施の形態では、サーバコントローラ１７は、サーバハードディスク装置１５への入出力が所定時間以上ないときには、サーバハードディスク装置１５の動作を省エネルギーモードにする。
【０１２０】
したがって、サーバハードディスク装置１５への入出力が所定時間以上ないときに、サーバハードディスク装置１５の動作を省エネルギーモードにすることにより、さらに、消費電力を低減することができる。
【０１２１】
また、本実施の形態の情報処理装置では、サーバコントローラ１７は、サーバハードディスク装置１５の動作を省エネルギーモードにした後、サーバハードディスク装置１５へのファイルの入出力が発生したときには、サーバハードディスク装置１５の動作を通常モードに復帰させる。
【０１２２】
したがって、サーバハードディスク装置１５へのファイルの入出力が発生したときには、サーバハードディスク装置１５は通常通りの動作を行うので、ファイルの入出力を支障なく行うことができる。
【０１２３】
また、本実施の形態の情報処理装置の情報処理方法では、例えば、ビデオレコーダ５等の第１の情報記憶装置のファイル管理情報が更新されたときには、このビデオレコーダ５は、複数台の情報記憶装置のうちの、ファイル管理情報を記憶するフラッシュメモリ２０を備えたホームサーバ３に対して、ファイル管理情報が更新された旨を通知する。
【０１２４】
そして、更新通知を受けたホームサーバ３は、自己のフラッシュメモリ２０に記憶されたファイル管理情報を更新する。
【０１２５】
これによって、各情報記憶装置の電源の入切状態に関係なく、いずれの情報記憶装置からもネットワーク内の情報記憶装置における更新されたファイルを検索することが可能である。
【０１２６】
この結果、ネットワーク内の情報記憶装置における最新のファイル管理情報を常に得ることができる情報処理装置の情報処理方法を提供することができる。
【０１２７】
また、本実施の形態の情報処理装置の情報処理方法では、ホームサーバ３は、ビデオレコーダ５のファイル管理情報のうち更新箇所のみを更新する。
【０１２８】
したがって、更新するファイル管理情報の容量を減らすことができるので、更新に要する時間を短縮することができる。
【０１２９】
ところで、更新箇所のみを更新している場合において、何らかの影響で送信ミスがあった場合には、誤った情報がホームサーバ３にいつまでもの残ることになる。
【０１３０】
この点、本実施の形態の情報処理装置の情報処理方法では、ホームサーバ３は、例えば１０回に一度等の所定の更新回数毎に、ビデオレコーダ５の更新箇所を含む全てのファイル管理情報を更新する。
【０１３１】
したがって、更新箇所のみを更新している場合において、何らかの影響で送信ミスがあっても、次回更新が行われるときに、共有ファイル全てについてのファイル管理情報が再度送られるので、その時点で情報が正常化される。この結果、情報の信頼性を確保することができる。
【０１３２】
【発明の効果】
本発明の情報処理装置は、以上のように、複数台の情報記憶装置のうち少なくとも１台の情報記憶装置には、全ての情報記憶装置のファイル管理情報を記憶するメモリ手段が設けられているものである。
【０１３３】
それゆえ、メモリ手段により、各情報記憶装置の電源の入切状態に関係なく、いずれの情報記憶装置からもネットワーク内の情報記憶装置のファイルを検索することが可能である。
【０１３４】
この結果、ネットワーク内の情報記憶装置のファイル管理情報を常に得ることができ、信頼性を実現し得る情報処理装置を提供することができるという効果を奏する。
【０１３５】
また、本発明の情報処理装置は、上記記載の情報処理装置において、前記メモリ手段は、固体メモリからなっているものである。
【０１３６】
それゆえ、ハードディスク装置のように機械的な可動部を有する記憶装置に比べて、耐久性、信頼性が向上できる。また、小型であり、消費電力も低減できるという効果を奏する。
【０１３７】
また、本発明の情報処理装置は、上記記載の情報処理装置において、前記メモリ手段は、不揮発性メモリからなっているものである。
【０１３８】
それゆえ、メモリ手段は、不揮発性メモリからなっているので、停電等による電源遮断時にも、ファイル管理情報を失うおそれがないという効果を奏する。
【０１３９】
また、本発明の情報処理装置は、上記記載の情報処理装置において、前記複数台の情報記憶装置のうち少なくとも１台の情報記憶装置には、各情報記憶装置にて作成された各種の情報を転送入力してファイルとして保存するファイル記憶手段と、上記ファイル記憶手段への入出力が所定時間以上ないときには、上記ファイル記憶手段の動作を省エネルギーモードにする動作制御手段とが設けられているものである。
【０１４０】
それゆえ、ある情報記憶装置の記憶容量が少ない場合等には、その記憶容量が少ない情報記憶装置にて記憶した情報を当該複数台の情報記憶装置のうち少なくとも１台の情報記憶装置に転送し、当該少なくとも１台の情報記憶装置のファイル記憶手段にファイルを保存することができる。したがって、個々の情報記憶装置については、大容量の記憶装置を備える必要がない。
【０１４１】
また、本発明では、動作制御手段は、ファイル記憶手段への入出力が所定時間以上ないときには、上記ファイル記憶手段の動作を省エネルギーモードにする。
【０１４２】
したがって、ファイル記憶手段への入出力が所定時間以上ないときに、ファイル記憶手段の動作を省エネルギーモードにすることにより、さらに、消費電力を低減することができるという効果を奏する。
【０１４３】
また、本発明の情報処理装置は、上記記載の情報処理装置において、前記動作制御手段は、ファイル記憶手段の動作を省エネルギーモードにした後、上記ファイル記憶手段へのファイルの入出力が発生したときには、上記ファイル記憶手段の動作を通常モードに復帰させるものである。
【０１４４】
それゆえ、ファイル記憶手段へのファイルの入出力が発生したときには、通常通りの動作を行うので、ファイルの入出力を支障なく行うことができる。
【０１４５】
また、本発明の情報処理装置の情報処理方法は、上記課題を解決するために、複数台の情報記憶装置に含まれる第１の情報記憶装置のファイル管理情報が更新されたときに、上記記第１の情報記憶装置が、上記複数台の情報記憶装置のうちの、ファイル管理情報を記憶するメモリ手段を備えた第２の情報記憶装置に対して、ファイル管理情報が更新された旨を通知する第１のステップと、更新通知を受けた上記第２の情報記憶装置が、上記メモリ手段に記憶されたファイル管理情報を更新する第２のステップとを含む方法である。
【０１４６】
それゆえ、各情報記憶装置の電源の入切状態に関係なく、いずれの情報記憶装置からもネットワーク内の情報記憶装置における更新されたファイルを検索することが可能である。
【０１４７】
この結果、ネットワーク内の情報記憶装置における最新のファイル管理情報を常に得ることができる情報処理装置の情報処理方法を提供することができるという効果を奏する。
【０１４８】
また、本発明の情報処理装置の情報処理方法は、上記記載の情報処理装置の情報処理方法において、前記第２のステップにおいて、第２の情報記憶装置は、第１の情報記憶装置のファイル管理情報のうち更新箇所のみを更新する方法である。
【０１４９】
それゆえ、更新するファイル管理情報の容量を減らすことができるので、更新に要する時間を短縮することができるという効果を奏する。
【０１５０】
また、本発明の情報処理装置の情報処理方法は、上記記載の情報処理装置の情報処理方法において、前記第２のステップにおいて、第２の情報記憶装置は、所定の更新回数毎に、第１の情報記憶装置の更新箇所を含む全てのファイル管理情報を更新する方法である。
【０１５１】
それゆえ、更新箇所のみを更新している場合において、何らかの影響で送信ミスがあっても、次回更新が行われるときに、共有ファイル全てについてのファイル管理情報が再度送られるので、その時点で情報が正常化される。この結果、情報の信頼性を確保することができるという効果を奏する。
【図面の簡単な説明】
【図１】本発明における情報処理装置システムの実施の一形態を示すブロック図である。
【図２】上記情報処理装置システムのビデオレコーダの構成を示すブロック図である。
【図３】上記情報処理装置システムのホームサーバの構成を示すブロック図である。
【図４】上記情報処理装置システムのディスプレイの構成を示すブロック図である。
【図５】上記情報処理装置システムにおけるホームサーバのフラッシュメモリに記憶されているファイル管理情報の管理項目を示す説明図である。
【図６】上記ファイル管理情報のファイル種類の項目に格納されるファイル種類コードを示す説明図である。
【図７】上記ホームサーバのフラッシュメモリに記憶されているファイル管理情報を示す説明図である。
【図８】録画終了時におけるビデオレコーダのファイル管理情報を示す説明図である。
【図９】ビデオレコーダとホームサーバとの間におけるファイル管理情報の更新手順を示す説明図である。
【図１０】従来例を示すものであり、情報処理装置システムを示すブロック図である。
【図１１】上記情報処理装置システムにおけるビデオレコーダ５の構成を示すブロック図である。
【図１２】上記情報処理装置システムにおけるホームサーバの構成を示すブロック図である。
【図１３】上記情報処理装置システムにおけるディスプレイの構成を示すブロック図である。
【図１４】（ａ）はファイル移動前のビデオレコーダのファイル管理情報を示す説明図、（ｂ）はファイル移動前のサーバのファイル管理情報を示す説明図である。
【図１５】（ａ）はファイル移動後のビデオレコーダのファイル管理情報を示す説明図、（ｂ）はファイル移動後のホームサーバのファイル管理情報を示す説明図である。
【符号の説明】
１　　ディスプレイ
２　　パソコン（情報記憶装置）
３　　ホームサーバ（情報記憶装置、第２の情報記憶装置）
５　　ビデオレコーダ（情報記憶装置、第１の情報記憶装置）
６　　テレビ
１５　　サーバハードディスク装置（ファイル記憶手段）
１６　　ＬＡＮインタフェース
１７　　サーバコントローラ（動作制御手段）
２０　　フラッシュメモリ（メモリ手段）
【図１】
2004038675.tif 000003
【図２】
2004038675.tif 000004
【図３】
2004038675.tif 000005
【図４】
2004038675.tif 000006
【図５】
2004038675.tif 000007
【図６】
2004038675.tif 000008
【図７】
2004038675.tif 000009
【図８】
2004038675.tif 000010
【図９】
2004038675.tif 000011
【図１０】
2004038675.tif 000012
【図１１】
2004038675.tif 000013
【図１２】
2004038675.tif 000014
【図１３】
2004038675.tif 000015
【図１４】
2004038675.tif 000016
【図１５】
2004038675.tif 000017